(57)【要約】      （修正有）【課題】凹状の窪みや環状孔部にも適用が可能なジョイントマットにおける端縁マットの連結構造を提供する。【解決手段】端縁に連続した凹凸状の係合部が底部に形成され、この係合部を係合させることで複数のマットを連結するジョイントマット２における端縁マット２１〜２４の連結構造において、両側部の一方に凸状の係合部が形成され他方に凹状の係合部が形成された平行四辺形状の第一の端縁マット２１と、この第一の端縁マット２１と左右対称に形成された平行四辺形状の第二の端縁マット２２とを有し、第一の端縁マット２１及び第二の端縁マット２２の一方の前記側部と他方の前記側部は、それぞれ、前記ジョイントマットの少なくとも一部に形成された凹部又は環状孔部の内側のコーナー部Ｃ５〜Ｃ８の角度を二分する角度αの傾斜面として形成され、前記内側のコーナー部で第一の端縁マット２１と第二の端縁マット２２とを連結した構成としてある。【選択図】図４
0003205078.tif 000002
【実用新案登録請求の範囲】
【請求項１】
端縁に連続した凹凸状の係合部が底部に形成され、この係合部を係合させることで複数のマットを連結するジョイントマットにおける端縁マットの連結構造において、
両側部の一方に凸状の係合部が形成され他方に凹状の係合部が形成された平行四辺形状の第一の端縁マットと、
この第一の端縁マットと左右対称に形成された平行四辺形状の第二の端縁マットとを有し、
前記第一の端縁マット及び前記第二の端縁マットの一方の前記側部と他方の前記側部は、それぞれ、前記ジョイントマットの少なくとも一部に形成された凹部又は環状孔部の内側のコーナー部の角度を二分する角度の傾斜面として形成され、前記内側のコーナー部で前記第一の端縁マットと前記第二の端縁マットとを連結したこと、
を特徴とするジョイントマットにおける端縁マットの連結構造。
【請求項２】
前記第一の端縁マットと前記第二の端縁マットとの間に嵌め込まれる第四の端縁マットをさらに有することを特徴とする請求項１に記載のジョイントマットにおける端縁マットの連結構造。
【請求項３】
前記ジョイントマットの外側のコーナー部で前記第一の端縁マットと第二の端縁マットとの間に嵌め込まれる第五の端縁マットをさらに有することを特徴とする請求項１に記載のジョイントマットにおける端縁マットの連結構造。
【請求項４】
前記第一〜第五の端縁マット及び前記前記ジョイントマットのうちのいずれか又は全部が機能性粒子を含むことを特徴とする請求項１〜３のいずれかに記載のジョイントマットにおける端縁マットの連結構造。
【請求項５】
前記機能性粒子を含む層を前記第一〜第五の端縁マット又は前記ジョイントマットの表面に形成したことを特徴とする請求項４に記載のジョイントマットにおける端縁マットの連結構造。
【請求項６】
前記第一〜第五の端縁マット又は前記前記ジョイントマットの内部に裏面に開放する空間部を形成するとともに、前記空間部に連通する孔部を表面に形成したことを特徴とする請求項１〜５のいずれかに記載のジョイントマットにおける端縁マットの連結構造。
【請求項７】
前記空間部に多孔質体を嵌装したことを特徴とする請求項６に記載のジョイントマットにおける端縁マットの連結構造。
【考案の詳細な説明】
【技術分野】
【０００１】
本考案は、端縁に連続した凹凸状の係合部が底部に形成され、この係合部を係合させることで複数のマットを連結してなるジョイントマットに関し、特に、ジョイントマットの端縁に取り付けられる端縁マットの連結構造に関する。
【背景技術】
【０００２】
この種のジョイントマットは、設置しようとする場所に応じてその形状を変化させることができ、また、色違いや図柄の異なるマットを種々に組み合わせることで色彩や模様を変化させることができるという利点があり、種々のものが提案されている（例えば、特許文献１，２参照）。
特に、特許文献１に記載のジョイントマットは、ジョイントマットの端縁連結部材とコーナー連結部材に関するもので、つまずき防止や意匠上の美観向上を目的としている。
【先行技術文献】
【特許文献】
【０００３】
【特許文献１】実用新案登録第３０９２５３１号
【特許文献２】実用新案登録第３１６８１１７号
【考案の開示】
【考案が解決しようとする課題】
【０００４】
ところで、ジョイントマットを敷設しようとする場所によっては、タンスやテレビがあったりしてジョイントマットの一部に凹状又は階段状の窪みを形成したり、テーブルの脚の部分をくり抜いてジョイントマットを環状に形成したりする必要が生じることがある。
しかし、上記文献に記載のジョイントマットでは、凹状や階段状の窪み内部や環状孔部の内部に端縁マットを取り付けようとしても、コーナー部で隣接する端縁マットどうしが互いに干渉して、取り付けることができないという問題がある。
【０００５】
本考案は、上記の問題に鑑みてなされたもので、可能な限り少ない種類の端縁マットで、凹状や階段状の窪み及び環状孔部にも適用が可能なジョイントマットにおける端縁マットの連結構造の提供を目的とする。
【課題を解決するための手段】
【０００６】
本考案の目的を達成するために本考案は、端縁に連続した凹凸状の係合部が底部に形成され、この係合部を係合させることで複数のマットを連結するジョイントマットにおける端縁マットの連結構造において、両側部の一方に凸状の係合部が形成され他方に凹状の係合部が形成された平行四辺形状の第一の端縁マットと、この第一の端縁マットと左右対称に形成された平行四辺形状の第二の端縁マットとを有し、前記第一の端縁マット及び前記第二の端縁マットの一方の前記側部と他方の前記側部は、それぞれ、前記ジョイントマットの少なくとも一部に形成された凹部又は環状孔部の内側のコーナー部の角度を二分する角度の傾斜面として形成され、前記内側のコーナー部で前記第一の端縁マットどうし又は前記第二の端縁マットどうしを連結した構成としてある。
【０００７】
前記第一の端縁マットと前記第二の端縁マットとの間に嵌め込まれる第四の端縁マットを有する構成としてもよい。
さらに、前記ジョイントマットの外側のコーナー部で前記第一の端縁マットと第二の端縁マットとの間に嵌め込まれる第五の端縁マットをさらに有する構成としてもよい。
【０００８】
前記第一〜第五の端縁マット及び前記前記ジョイントマットには、機能性粒子を含ませるとよい。この場合、前記機能性粒子を含む層を前記第一〜第五の端縁マット又は前記前記ジョイントマットの表面に形成することで、機能性粒子の密度を高めることができる。
機能性粒子としては、抗菌性を有するもの、消臭性を有するもの、遠赤外線放射性を有するもの、熱伝導性を高めるものなどがある。
【０００９】
また、前記第一〜第五の端縁マット又は前記前記ジョイントマットの内部に裏面に開放する空間部を形成するとともに、前記空間部に連通する孔部を表面に形成してもよい。前記空間部には多孔質体を嵌装してもよい。このようにすることで、床暖房等の設備を有する施設の床面に設置しても、床面の熱を効率よくマット表面に伝えることができる。
【考案の効果】
【００１０】
本考案によれば、ジョイントマットの一部に凹部を形成したり、環状孔部を形成してその端縁に端縁マットを取り付けることができるので、テレビやタンス等の障害物がある所にも、すっきりした外観のジョイントマットを敷設することができる。
【考案を実施するための最良の形態】
【００１１】
本考案の参考例及び好適な実施形態を、図面を参照しながら詳細に説明する。
図１は、本考案の参考例にかかり、端縁マットの連結構造の一例を示す平面図、図２は、凹部の内側端縁に使用される端縁マットの一例を示す平面図、図３は、凹部の内側端縁に使用される端縁マットの六面図である。
図１に示すように、この例のジョイントマット１は、テレビ等の障害物Ｓが設置されている部分を避けて、その周囲の床面に凹状に複数のマット１０を配置して連結したものである。
図１に示すような凹部を有するジョイントマット１においては、図２に示すような端縁マット１１〜１６を準備する。
【００１２】
端縁マット１１は、平面視して略台形状に形成され、底辺には、マット１０の端縁に連続形成された凹凸状の係合部と係合できる凹凸状の係合部が全長に亘って形成され、上辺は、その全長に渡って斜めに面取りが施されている。
また、端縁マット１１の両側辺のうちの一方（図示の例では左側の側辺）は、凹部の内側のコーナー部Ｃ１，Ｃ２の角度を二等分する角度αで傾斜する斜辺として形成され、他方（同右側の側辺）は垂直辺として形成されている。
【００１３】
斜辺状の側辺の角度αは、図示の例でコーナー部Ｃ１，Ｃ２は直角であるから、α＝４５°であるが、コーナー部Ｃ１，Ｃ２の角度が例えば１２０°になれば、前記角度αは６０°となる。そして、斜辺状の側辺には、その途中部位に凸状の係合部１１ａが一つ形成され、垂直状の側辺には、その途中部位に凹状の係合部１１ｂが一つ形成されている。もちろん、斜辺状の側辺の方に凹状の係合部を形成し、垂直状の側辺の方に凸状の係合部を形成しもよく、また、前記係合部は二つ以上形成してもよい。
前記した係合部１１ａ，１１ｂは、一の端縁マット１１の係合部１１ａが他の端縁マット１１の係合部１１ｂに係合できるように形成・配置する。
【００１４】
端縁マット１２は、図２に示すように端縁マット１１と左右対象形をなしており、図示の例では、斜辺状の側部に、端縁マット１１の凸状の係合部１１ａと係合できる凹状の係合部１２ａが形成され、垂直状の側部に、端縁マット１１の凹状の係合部１１ｂと係合できる凸状の係合部１２ｂが形成されている。
この実施形態では、端縁マット１１が第一の端縁マットを構成し、端縁マット１２が第二の端縁マットを構成する。
【００１５】
ジョイントマット１の凹部の内側には、端縁マット１１，１２が取り付けられる。また、ジョイントマット１の外側には、端縁マット１４，１５，１６が取り付けられる。これらの端縁マット１４，１５，１６は、上記の特許文献１（実用新案登録第３１６８１１７号）等で公知であるから、詳細な説明は省略する。
ジョイントマット１の凹部の内側に取り付けられる端縁マット１１，１２の間には、長方形状の端縁マット１４を介在させることができる。この実施形態では、端縁マット１４が第四の端縁マットを構成する。
【００１６】
さらに、ジョイントマット１の凹部から外側に向かうコーナー部Ｃ３，Ｃ４には、端縁マット１１と他の端縁マット１５との間又は端縁マット１２と他の端縁マット１６との間に嵌め込まれる第三の端縁マットとしての端縁マット１３が嵌め込まれる。
端縁マット１３は、正方形状に形成され、隣接する二つの側辺の一方に、端縁マット１１の係合部１１ｂ又は端縁マット１２の係合部１２ａと係合する凸状の係合部１３ａが形成され、他方の側辺に、端縁マット１１の係合部１１ａ又は端縁マット１２の係合部１２ｂと係合する凹状の係合部１３ｂが形成されている。
【００１７】
次に、図４及び図５を参照しながら、本考案の実施形態にかかる端縁マットの連結構造を説明する。図４は、本考案の実施形態にかかる端縁マットの連結構造の平面図、図５は、環状孔部の内側端縁に使用される端縁マットの一例を示す平面図である。
図４に示すように、この実施形態のジョイントマット２は、テーブル等の障害物３が設置されている部分を避けて、その周囲の床面に環状に複数のマット１０を配置して連結したものである。
図４に示すような環状孔部を有するジョイントマット２においては、図５に示すような端縁マット２１〜２４を準備する。
端縁マット２１は、平面視して略平行四辺形状に形成され、底辺には、マット１０の端縁に連続形成された凹凸状の係合部と係合できる凹凸状の係合部が全長に亘って形成され、上辺は、その全長に渡って斜めに面取りが施されている。
また、端縁マット２１の両側辺は、環状孔部の内側のコーナー部Ｃ５〜Ｃ８の角度を二等分する角度αで傾斜する平行斜辺として形成されている。
【００１８】
側辺の一方（図の左側）には、その途中部位に凸状の係合部２１ａが一つ形成され、側辺の他方には、その途中部位に凹状の係合部２１ｂが一つ形成されている。もちろん、一方の側辺に凹状の係合部を形成し、他方の側辺に凸状の係合部を形成しもよく、また、前記係合部は二つ以上形成してもよい。
前記した係合部２１ａ，２１ｂは、一の端縁マット２１の係合部２１ａが他の端縁マット２１の係合部２１ｂに係合できるように形成・配置する。
【００１９】
端縁マット２２は、図５に示すように端縁マット２１と左右対象形をなしており、図示の例では、一方の側辺（図の左側）に、端縁マット２１の凸状の係合部２１ａと係合できる凹状の係合部２２ａが形成され、他方の側辺に、端縁マット２１の凹状の係合部２１ｂと係合できる凸状の係合部２２ｂが形成されている。
この実施形態では、端縁マット２１が第一の端縁マットを構成し、端縁マット２２が第二の端縁マットを構成する。
符号２４は、端縁マット２１，２２の間に介在される台形状の端縁マットで、二つの斜辺状の側辺の一方には、端縁マット２１の係合部２１ａと係合できる凹状の係合部２４ａが形成され、他方には、端縁マット２２の係合部２２ａと係合できる係合部２４ｂが形成されている。この実施形態では、端縁マット２４が第四の端縁マットを構成する。
【００２０】
ジョイントマット２の環状孔部の内側には、端縁マット２１，２２及び端縁マット２４が図示するように取り付けられる。また、ジョイントマット２の外側には、端縁マット２１（又は端縁マット２２）及び端縁マット２４が取り付けられる。
【００２１】
さらに、ジョイントマット２の外側のコーナー部Ｃ９，Ｃ１０には、端縁マット２１，２１との間に嵌め込まれる第五の端縁マットとしての端縁マット２３が嵌め込まれる。
端縁マット２３は、直角二等辺三角形状に形成され、直交する二つの側辺の一方に、端縁マット２１の係合部２１ｂと係合する凸状の係合部２３ｂが形成され、他方の側辺に、端縁マット２１の係合部２１ａと係合する凹状の係合部２３ａが形成されている。
この実施形態では、四種類の端縁マット２１〜２４を準備することで、環状孔部の内側及び外側の端縁の全周に端縁マットを取り付けることができる。
【００２２】
図６は、本考案の第二の実施形態にかかり、マット１０，１１〜１６，２１〜２４の断面図である。
この実施形態では、マット１０，１１〜１６，２１〜２４の内部には、床Ｆの表面で開放する空間部３が形成されている。また、マット１０，１１〜１６，２１〜２４の表面から空間部３に連通する通気孔３ａが複数形成されている。そのため、床Ｆが床暖房を有する場合において、床Ｆの表面の熱が空間部３から通気孔３ａを通ってマット１０，１１〜１６，２１〜２４の表面に伝わりやすくなる。
マット１０，１１〜１６，２１〜２４を凹みにくくするために、空間部３の天井部分の肉厚を厚くしたり、支柱３ｂを適宜に設けたりするとよい。
【００２３】
本考案は上記の実施形態に限定されるものではない。
例えば、参考例の端縁マットを第一の実施形態のような環状孔部の内側に適用することも可能であるし、第一の実施形態の端縁マットを参考例のような凹部の内側に適用することも可能である。
また、凹部及び環状孔部は、四角形状のものを例に挙げたが、六角形状といった他の多角形状のものにも適用が可能である。
さらに、マット１０や、端縁マット１１〜１６，２１〜２４には、機能性粒子を含ませてもよい。機能性粒子としては、抗菌性を有するものとしては銀イオン、亜鉛イオン、銅イオン等の抗菌性金属イオンを担持したガラス、ゼオライト、リン酸ジルコニウム、ハイドロキシアパタイト等、消臭性を有するものとしてはトリポリリン酸ナトリウム、酸化チタン、酸化亜鉛等、遠赤外線放射性を有するものとしてはアルミナセラミックス、ジルコニウム、シリカ、チタン等、熱伝導性を高めるものとしてはアルミナ、マグネシウム等などを挙げることができる。粒径０．５〜３μｍ程度のこれら粒子の一種又は二種以上を、３％〜３．５％の重量比でマット１０や、端縁マット１１〜１６，２１〜２４に含ませる。表面に、これらの機能性粒子を含ませた材料（マットと同じ材質のものが好ましい）を貼り合わせてもよい。
【図面の簡単な説明】
【００２４】
【図１】本考案の参考例にかかり、端縁マットの連結構造の一例を示す平面図である。
【図２】凹部の内側端縁に使用される端縁マットの一例を示す平面図である。
【図３】（ａ）（ｂ）は、本考案の参考例にかかる凹部の内側端縁に使用される端縁マットの六面図である。
【図４】本考案の第一の実施形態にかかる端縁マットの連結構造の平面図である。
【図５】環状孔部の内側端縁に使用される端縁マットの一例を示す平面図である。
【図６】本考案の第二の実施形態にかかり、マットの断面図である。
【符号の説明】
【００２５】
１、２    ジョイントマット
１０      マット
１１〜１６      端縁マット
２１〜２４      端縁マット
３        空間部
３ａ      通気孔
３ｂ      支柱
Ｃ１，Ｃ２，Ｃ５〜Ｃ８      内側のコーナー部
Ｃ３，Ｃ４，Ｃ９，Ｃ１０    外側のコーナー部
【図１】
0003205078.tif 000003
【図２】
0003205078.tif 000004
【図３】
0003205078.tif 000005
【図４】
0003205078.tif 000006
【図５】
0003205078.tif 000007
【図６】
0003205078.tif 000008
【手続補正書】
【提出日】平成28年4月26日(2016.4.26)
【手続補正１】
【補正対象書類名】実用新案登録請求の範囲
【補正対象項目名】全文
【補正方法】変更
【補正の内容】
【実用新案登録請求の範囲】
【請求項１】
端縁に連続した凹凸状の係合部が底部に形成され、この係合部を係合させることで複数のマットを連結するジョイントマットにおける端縁マットの連結構造において、
両側部の一方に凸状の係合部が形成され他方に凹状の係合部が形成された平行四辺形状の第一の端縁マットと、
この第一の端縁マットと左右対称に形成された平行四辺形状の第二の端縁マットとを有し、
前記第一の端縁マット及び前記第二の端縁マットの一方の前記側部と他方の前記側部は、それぞれ、前記ジョイントマットの少なくとも一部に形成された凹部又は環状孔部の内側のコーナー部の角度を二分する角度の傾斜面として形成され、前記内側のコーナー部で前記第一の端縁マットと前記第二の端縁マットとを連結したこと、
を特徴とするジョイントマットにおける端縁マットの連結構造。
【請求項２】
前記第一の端縁マットと前記第二の端縁マットとの間に嵌め込まれる第四の端縁マットをさらに有することを特徴とする請求項１に記載のジョイントマットにおける端縁マットの連結構造。
【請求項３】
前記ジョイントマットの外側のコーナー部で前記第一の端縁マットと第二の端縁マットとの間に嵌め込まれる第五の端縁マットをさらに有することを特徴とする請求項１に記載のジョイントマットにおける端縁マットの連結構造。
【請求項４】
前記第一の端縁マット、第二の端縁マット、第四の端縁マット、第五の端縁マット及び前記ジョイントマットのうちのいずれか又は全部が機能性粒子を含むことを特徴とする請求項１〜３のいずれかに記載のジョイントマットにおける端縁マットの連結構造。
【請求項５】
前記機能性粒子を含む層を前記第一の端縁マット、第二の端縁マット、第四の端縁マット、第五の端縁マット又は前記ジョイントマットの表面に形成したことを特徴とする請求項４に記載のジョイントマットにおける端縁マットの連結構造。
【請求項６】
前記第一の端縁マット、第二の端縁マット、第四の端縁マット、第五の端縁マット又は前記ジョイントマットの内部に裏面に開放する空間部を形成するとともに、前記空間部に連通する孔部を表面に形成したことを特徴とする請求項１〜５のいずれかに記載のジョイントマットにおける端縁マットの連結構造。
【請求項７】
前記空間部に多孔質体を嵌装したことを特徴とする請求項６に記載のジョイントマットにおける端縁マットの連結構造。
【手続補正２】
【補正対象書類名】明細書
【補正対象項目名】０００８
【補正方法】変更
【補正の内容】
【０００８】
前記第一の端縁マット、第二の端縁マット、第四の端縁マット、第五の端縁マット及び前記ジョイントマットには、機能性粒子を含ませるとよい。この場合、前記機能性粒子を含む層を前記第一の端縁マット、第二の端縁マット、第四の端縁マット、第五の端縁マット又は前記ジョイントマットの表面に形成することで、機能性粒子の密度を高めることができる。
機能性粒子としては、抗菌性を有するもの、消臭性を有するもの、遠赤外線放射性を有するもの、熱伝導性を高めるものなどがある。
【手続補正３】
【補正対象書類名】明細書
【補正対象項目名】０００９
【補正方法】変更
【補正の内容】
【０００９】
また、前記第一の端縁マット、第二の端縁マット、第四の端縁マット、第五の端縁マット又は前記ジョイントマットの内部に裏面に開放する空間部を形成するとともに、前記空間部に連通する孔部を表面に形成してもよい。前記空間部には多孔質体を嵌装してもよい。このようにすることで、床暖房等の設備を有する施設の床面に設置しても、床面の熱を効率よくマット表面に伝えることができる。